(57)【特許請求の範囲】
【請求項１】
塗布用ノズルにおける塗液収容部内に塗液供給装置から塗液供給管を通して塗液を供給すると共に、この塗液収容部内における塗液を吐出させる塗布用ノズルの先端部におけるスリット状吐出口を被塗布体の上に配置し、前記の被塗布体と塗布用ノズルとを相対的に移動させて、前記の塗液収容部内における塗液を、前記のスリット状吐出口を通して被塗布体の表面に塗布する塗布装置において、前記の塗液収容部内で回転して塗液収容部と前記のスリット状吐出口との間の開閉を行うシャッター部材を設けると共に、前記の塗液収容部内における塗液に加わる圧力を調整する圧力調整手段として、前記の塗液収容部内に塗液を供給させた状態で塗液収容部内に気体を供給して、前記の塗液収容部内における塗液に加わる圧力が一定圧になるように調整する気体供給調整手段を設け、前記の圧力調整手段により塗液収容部内における塗液に加わる圧力を一定圧に保った状態で、前記のシャッター部材を回転させて、塗液収容部とスリット状吐出口との間を開閉させることを特徴とする塗布装置。
【請求項２】
請求項１に記載の塗布装置において、前記のシャッター部材として、塗液収容部内で回転する棒状体の外周部に、その軸方向に沿って前記のスリット状吐出口よりも長く伸びた案内切欠き部を設けたものを用い、このシャッター部材を回転させて、前記の案内切欠き部を前記のスリット状吐出口の位置に導いて前記の塗液収容部とスリット状吐出口との間を連通させ、塗液収容部内における塗液を、案内切欠き部からスリット状吐出口を通して被塗布体の表面に塗布させることを特徴とする塗布装置。
【発明の詳細な説明】
【技術分野】
【０００１】
本発明は、塗布用ノズルにおける塗液収容部内に塗液供給装置から塗液供給管を通して塗液を供給すると共に、この塗液収容部内における塗液を吐出させる塗布用ノズルの先端部におけるスリット状吐出口を被塗布体の上に配置し、前記の被塗布体と塗布用ノズルとを相対的に移動させて、前記の塗液収容部内における塗液を、前記のスリット状吐出口を通して被塗布体の表面に塗布する塗布装置に関するものである。特に、前記のように被塗布体と塗布用ノズルとを相対的に移動させて、塗布用ノズルの先端部に設けたスリット状吐出口を通して被塗布体の表面に塗液を塗布させるにあたり、速やかに塗布の開始と停止ができ、被塗布体の表面に塗液の厚みムラ等が生じないように、塗液を被塗布体の表面に均一な厚みになるように簡単に塗布できるようにした点に特徴を有するものである。
【背景技術】
【０００２】
従来から、塗布装置により塗液を被塗布体の表面に塗布することが行われており、このような塗布装置としては、特許文献１に示されるように、塗液供給装置から塗液供給管を通して塗液を塗布用ノズルに供給させると共に、この塗布用ノズルの先端部におけるスリット状吐出口を被塗布体に対向させるようにして、塗布用ノズルを被塗布体の上に配置させ、前記の塗液供給装置から塗液供給管を通して塗液を塗布用ノズルに所定の圧力で供給して、この塗液をスリット状吐出口から被塗布体の表面に吐出させながら、被塗布体の上において塗布用ノズルを塗布方向に移動させ、被塗布体の表面に塗液を塗布させるようにしたものが広く利用されている。
【０００３】
ここで、前記のように塗液供給装置から塗液を塗布用ノズルに所定の圧力で供給して、この塗液をスリット状吐出口から被塗布体の表面に吐出させる場合、塗液供給装置から塗液供給管を通して塗液を塗液収容部に供給する際に、配管圧損（圧力損失）等か生じて、速やかに所定量の塗液をスリット状吐出口から被塗布体の表面に吐出させることができず、塗布開始時から被塗布体の表面に塗布される塗液の膜厚が徐々に増加して、被塗布体の表面に塗布される塗液の膜厚が一定になるまでは所定の時間を要すると共に、被塗布体の表面への塗液の塗布を停止させるにあたり、塗液供給装置から塗布用ノズルに供給する塗液に加わる圧力を減圧させて塗布用ノズルから塗液が吐出されないようにする場合にも、塗布用ノズルから塗液が吐出されなくなるまでに時間を要し、被塗布体の表面に塗布される塗液の膜厚が徐々に減少するようになり、塗布の開始時と停止時においては、塗液を被塗布体の表面に均一な厚みに塗布することができなかった。
【０００４】
また、前記のような塗布装置において、被塗布体の表面に塗液を均一な厚みになるように塗布させるためには、塗布用ノズルを被塗布体の上で塗布方向に移動させる速度を、塗布開始時と塗布停止前とにおいて微妙に調整することが必要になり、被塗布体の表面に塗液を均一な厚みになるように塗布することは非常に困難であった。
【０００５】
また、従来においては、特許文献２に示されるように、塗布用ノズルの先端部におけるスリット状吐出口の下に、シリンダーによって移動されて前記のスリット状吐出口を開閉させるシャッター部材を設け、このシャッター部材によりスリット状吐出口を閉じて、塗液中における揮発性の溶剤が揮発するのを防止するようにしたものが提案されている。
【０００６】
ここで、このようにシャッター部材をスリット状吐出口の下においてシリンダーにより水平方向に移動させて、スリット状吐出口を閉じるようにしたものにおいては、塗液を塗布用ノズルに所定の圧力で供給して、この塗液をスリット状吐出口から被塗布体の表面に吐出させるようにした場合、スリット状吐出口の下に設けられたシャッター部材に塗液による大きな圧力が加わり、板状のシャッター部材やシリンダーロッドが塗液により押されて曲がってしまい、塗布用ノズルにおける塗液がスリット状吐出口とシャッター部材との間から漏れ出すという問題があった。
【先行技術文献】
【特許文献】
【０００７】
【特許文献１】特許第４３４４３８１号公報
【特許文献２】特開２０００−２８０４５４号公報
【発明の開示】
【発明が解決しようとする課題】
【０００８】
本発明は、塗布用ノズルにおける塗液収容部内に塗液供給装置から塗液供給管を通して塗液を供給すると共に、この塗液収容部内における塗液を吐出させる塗布用ノズルの先端部におけるスリット状吐出口を被塗布体の上に配置し、前記の被塗布体と塗布用ノズルとを相対的に移動させて、前記の塗液収容部内における塗液を、前記のスリット状吐出口を通して被塗布体の表面に塗布するようにした塗布装置における前記のような問題を解決することを課題とするものである。
【０００９】
すなわち、本発明においては、前記のように被塗布体と塗布用ノズルとを相対的に移動させて、塗布用ノズルに設けたスリット状吐出口を通して被塗布体の表面に塗液を塗布させるにあたり、速やかに塗布の開始と停止ができ、被塗布体の表面に塗液の厚みムラ等が生じないように、塗液を被塗布体の表面に均一な厚みになるように簡単に塗布できるようにすることを課題とするものである。
【課題を解決するための手段】
【００１０】
本発明に係る塗布装置においては、前記のような課題を解決するため、塗布用ノズルにおける塗液収容部内に塗液供給装置から塗液供給管を通して塗液を供給すると共に、この塗液収容部内における塗液を吐出させる塗布用ノズルの先端部におけるスリット状吐出口を被塗布体の上に配置し、前記の被塗布体と塗布用ノズルとを相対的に移動させて、前記の塗液収容部内における塗液を、前記のスリット状吐出口を通して被塗布体の表面に塗布する塗布装置において、前記の塗液収容部内で回転して塗液収容部と前記のスリット状吐出口との間の開閉を行うシャッター部材を設けると共に、前記の塗液収容部内における塗液に加わる圧力を調整する圧力調整手段として、前記の塗液収容部内に塗液を供給させた状態で塗液収容部内に気体を供給して、前記の塗液収容部内における塗液に加わる圧力が一定圧になるように調整する気体供給調整手段を設け、前記の圧力調整手段により塗液収容部内における塗液に加わる圧力を一定圧に保った状態で、前記のシャッター部材を回転させて、塗液収容部とスリット状吐出口との間を開閉させるようにした。
【００１１】
そして、このようにシャッター部材を塗布用ノズルにおける塗液収容部内に設けたため、塗液に大きな圧力が加わっても、特許文献２のように、シャッター部材が曲がって塗液が漏れだすということがなく、また前記のシャッター部材を塗液収容部内で少し回転させるだけで、幅の広いスリット状吐出口を全幅にわたって同時に一瞬で速やかに開閉できるようになる。
【００１２】
そして、このように塗液収容部内に設けたシャッター部材を少し回転させて、幅の広いスリット状吐出口を全幅にわたって速やかに開閉させることができるため、塗布の開始と停止とが速やかに行えるようになり、従来のように、塗布開始時から被塗布体の表面に塗布される塗液の膜厚が徐々に増加して、塗液の膜厚が一定になるまで時間を要したり、塗布を停止させる際に、塗液の膜厚が徐々に減少して、塗液の吐出が停止されるまでに時間を要したりすることがなくなる。
【００１３】
また、本発明に係る塗布装置においては、前記のように塗液収容部内で回転させて塗液収容部とスリット状吐出口との間の開閉を行うシャッター部材を設けると共に、塗液収容部内における塗液に加わる圧力を調整する圧力調整手段として、前記の塗液収容部内に塗液を供給させた状態で塗液収容部内に気体を供給して、前記の塗液収容部内における塗液に加わる圧力が一定圧になるように調整する気体供給調整手段を設け、前記の圧力調整手段により塗液収容部内における塗液に加わる圧力を一定圧に保った状態で、シャッター部材を回転させて、塗液収容部とスリット状吐出口との間を開閉させるようにしたため、シャッター部材を回転させて塗液収容部とスリット状吐出口との間を開口させた場合には、塗液収容部内に収容された塗液が一定した圧力でスリット状吐出口を通して被塗布体の表面に供給されて、相対的に移動する被塗布体の表面に塗液が一定した厚みで塗布されるようになると共に、シャッター部材を回転させて塗液収容部とスリット状吐出口との間を閉塞させた場合には、塗液収容部内に収容された塗液に加わる圧力を一定圧に保った状態で、スリット状吐出口を通して被塗布体の表面に塗液が供給されるのが速やかに停止されるようになる。
【００１５】
ここで、圧力調整手段として、前記のように塗液収容部内に塗液を供給させた状態で塗液収容部内に気体を供給して、塗液収容部内における塗液に加わる圧力が一定圧になるように調整する気体供給調整手段を設けるようにすると、塗液収容部内における塗液に加わる圧力が一定圧になるように調整することが容易に行えると共に、塗液供給装置から塗液供給管を通して塗液を塗液収容部内に供給する際に、気泡が塗液と一緒に塗液収容部内に供給されたとしても、塗液収容部内において気泡が浮かび上がって塗液から分離されて、塗液収容部内に供給される気体と一緒になり、気泡がスリット状吐出口を通して被塗布体の表面に供給されるのが防止される。
【００１６】
また、本発明に係る塗布装置においては、前記のシャッター部材として、塗液収容部内で回転する棒状体の外周部に、その軸方向に沿って前記のスリット状吐出口よりも長く伸びた案内切欠き部を設けたものを用い、このシャッター部材を回転させて、前記の案内切欠き部を前記のスリット状吐出口の位置に導いて前記の塗液収容部とスリット状吐出口との間を連通させ、塗液収容部内における塗液を、案内切欠き部からスリット状吐出口を通して被塗布体の表面に塗布させるようにすることができる。
【００１７】
このようにすると、スリット状吐出口の幅方向において、一斉に塗料の吐出の開始と停止が速やかに行えるようになる。
【発明の効果】
【００１８】
本発明における塗布装置においては、前記のように塗液収容部内で回転させて塗液収容部とスリット状吐出口との間の開閉を行うシャッター部材を設けると共に、塗液収容部内における塗液に加わる圧力を調整する圧力調整手段として、前記の塗液収容部内に塗液を供給させた状態で塗液収容部内に気体を供給して、前記の塗液収容部内における塗液に加わる圧力が一定圧になるように調整する気体供給調整手段を設け、圧力調整手段により塗液収容部内に収容された塗液に加わる圧力を一定圧に保った状態で、シャッター部材を回転させて、塗液収容部とスリット状吐出口との間を開閉させるようにしたため、シャッター部材を回転させて塗液収容部とスリット状吐出口との間を開口させた場合には、塗液収容部内に収容された塗液が一定した圧力でスリット状吐出口を通して速やかに被塗布体の表面に供給されて、相対的に移動する被塗布体の表面に塗液が一定した厚みで塗布されるようになると共に、シャッター部材を回転させて塗液収容部とスリット状吐出口との間を閉塞させた場合には、塗液収容部内に収容された塗液に加わる圧力を一定圧に保った状態で、スリット状吐出口を通して被塗布体の表面に塗液が供給されるのが速やかに停止されるようになる。
【００１９】
この結果、本発明における塗布装置においては、被塗布体と塗布用ノズルとを相対的に移動させて、塗液収容部内における塗液を、スリット状吐出口を通して被塗布体の表面に塗布するにあたり、前記のように圧力調整手段により塗液収容部内に収容された塗液に加わる圧力を一定圧に保った状態で、シャッター部材を回転させて塗液収容部とスリット状吐出口との間を開閉させるだけで、塗液収容部内に収容された塗液を一定した圧力でスリット状吐出口を通して被塗布体の表面に速やかに供給させたり、停止させたりすることができるようになり、塗布開始時に塗液の膜厚が一定になるまでに時間を要したり、塗布停止時に塗液の吐出が停止するまでに時間を要したりすることがなくなり、被塗布体の表面に塗液の厚みムラ等が生じないようにして、塗液を被塗布体の表面に均一な厚みになるように簡単に塗布できるようになる。
【図面の簡単な説明】
【００２０】
【図１】本発明の実施形態１に係る塗布装置において、塗布用ノズルの塗液収容部内に設けたシャッター部材により塗布用ノズルの先端部におけるスリット状吐出口を閉じた状態で、塗液供給装置から塗液供給管を通して塗液を塗液収容部内に供給する状態を示したスリット状吐出口の長手方向の概略断面説明図である。
【図２】前記の実施形態１に係る塗布装置において、塗布用ノズルの塗液収容部内に設けたシャッター部材により塗布用ノズルの先端部におけるスリット状吐出口を閉じた状態で、塗液供給装置から塗液供給管を通して塗液を塗液収容部内に供給する状態を示したスリット状吐出口の長手方向と交差する方向の概略断面説明図である。
【図３】前記の実施形態１に係る塗布装置において、塗液供給装置から塗液供給管を通して塗液を塗液収容部内に供給した後、塗液収容部内に気体を供給して、塗液収容部内における塗液に加わる圧力を調整する状態を示したスリット状吐出口の長手方向と交差する方向の概略断面説明図である。
【図４】前記の実施形態１に係る塗布装置を示し、（Ａ）〜（Ｄ）は、所定量の塗液が供給された塗液収容部内に気体を供給して塗液収容部内における塗液に加わる圧力を調整した状態で、塗布用ノズルを被塗布体の上に配置し、シャッター部材を回転させて塗液収容部とスリット状吐出口との間を開口させて、スリット状吐出口から塗液を被塗布体の上に供給して、被塗布体の表面に塗液を塗布するにあたり、気体供給調整手段により塗液収容部内における塗液に加わる圧力が一定圧になるように調整しながら、被塗布体を塗布用ノズルの下で移動させて、塗液収容部内における塗液を、スリット状吐出口から被塗布体の表面に塗布する工程を示した概略断面説明図である。
【図５】本発明の参考形態に係る塗布装置を示し、（Ａ）は、塗布用ノズルの塗液収容部内に設けたシャッター部材により塗布用ノズルの先端部におけるスリット状吐出口を閉じた状態で、塗液供給装置から塗液供給管を通して塗液を塗液収容部内に供給する状態を示したスリット状吐出口の長手方向と交差する方向の概略断面説明図、（Ｂ）は、塗液収容部内に塗液を充填させて、塗液収容部内に収容された塗液に加わる圧力が一定圧になるように、塗液の供給を調整する状態を示したスリット状吐出口の長手方向と交差する方向の概略断面説明図である。
【図６】前記の参考形態に係る塗布装置を示し、（Ａ）〜（Ｄ）は、塗液収容部内に充填させて、塗液収容部内に充填された塗液に加わる圧力が所定圧になるように調整した状態で、塗布用ノズルを被塗布体の上に配置し、シリンジポンプを用いて塗液収容部内における塗液に加わる圧力が一定圧になるように調整しながら、被塗布体を塗布用ノズルの下で移動させて、塗液収容部内における塗液を、スリット状吐出口を通して被塗布体の表面に塗布する工程を示した概略断面説明図である。
【図７】本発明の実施形態に係る塗布装置において、シャッター部材に案内切欠き部を設けるにあたり、（Ａ）〜（Ｄ）は、シャッター部材に設ける案内切欠き部の形状を変更させたシャッター部材の概略展開図である。
【図８】本発明の実施形態に係る塗布装置において、図７（Ａ）〜（Ｄ）に示した案内切欠き部の形状を変更させたシャッター部材を用いて被塗布体に塗液を塗布する例を示し、（Ａ）〜（Ｈ）は、これらのシャッター部材の回転を制御して、被塗布体に塗液を塗布した状態を示した概略平面図である。
【発明を実施するための最良の形態】
【００２１】
以下、本発明の実施形態に係る塗布装置を添付図面に基づいて具体的に説明する。なお、本発明に係る塗布装置は、下記の実施形態に示したものに限定されず、発明の要旨を変更しない範囲において、適宜変更して実施できるものである。
【００２２】
（実施形態１）
実施形態１における塗布装置においては、図１〜図４に示すように、塗布用ノズル１０の内部に塗液Ｐを収容させる塗液収容部１１を設けると共に、先端部に前記の塗液収容部１１内に収容された塗液Ｐを吐出させるスリット状吐出口１２を設け、さらに前記の塗液収容部１１内で回転して塗液収容部１１とスリット状吐出口１２との間の開閉を行うシャッター部材１３を設けている。
【００２３】
ここで、前記のシャッター部材１３としては、前記の塗液収容部１１内で回転する棒状体の外周部に、その軸方向に沿って前記のスリット状吐出口１２よりも長く伸びた案内切欠き部１３ａを設けたものを用いている。
【００２４】
そして、このシャッター部材１３を塗液収容部１１内で回転させて、シャッター部材１３における案内切欠き部１３ａをスリット状吐出口１２の位置に導かない状態では、塗液収容部１１とスリット状吐出口１２との間がシャッター部材１３によって閉塞されて、塗液収容部１１内に収容された塗液Ｐがスリット状吐出口１２に導かれない一方、案内切欠き部１３ａがスリット状吐出口１２の位置に導かれた状態では、塗液収容部１１とスリット状吐出口１２との間が案内切欠き部１３ａを介して連通され、塗液収容部１１内に収容された塗液Ｐが案内切欠き部１３ａを通してスリット状吐出口１２に導かれるようになる。
【００２５】
また、この実施形態１における塗布装置においては、前記の塗布用ノズル１０における塗液収容部１１に対して、塗液供給装置２０から塗液Ｐを供給させる塗液供給パイプ２１に塗液供給弁２２を設け、塗液供給装置２０の上方から塗液Ｐに圧力をかけ、この塗液供給弁２２を開閉させて、塗液収容部１１への塗液Ｐの供給や停止を行うようにすると共に、塗液収容部１１内への気体の供給・排気を行う供給・排気パイプ３１を設け、この供給・排気パイプ３１における供給側パイプ３１ａに、気体供給調整手段として、気体供給装置３０から前記の塗液収容部１１に供給する気体を調整する気体供給調整弁３２を設ける一方、供給・排気パイプ３１における排気側パイプ３１ｂに排気弁３３を設け、この排気弁３３を通して塗液収容部１１内における気体を排気させるようにしている。
【００２６】
そして、この実施形態１における塗布装置において、塗布用ノズル１０における塗液収容部１１内に塗液Ｐを供給する場合には、図１及び図２に示すように、塗布用ノズル１０の先端部におけるスリット状吐出口１２を前記のシャッター部材１３によって閉じた状態で、塗液供給パイプ２１に設けた前記の塗液供給弁２２を開け、塗液供給装置２０から塗液供給パイプ２１を通して塗液収容部１１内に所定量の塗液Ｐを供給させると共に、前記の排気側パイプ３１ｂに設けた排気弁３３を開けて、この排気側パイプ３１ｂを通して塗液収容部１１内における気体を排気（気抜き）させる一方、前記の供給側パイプ３１ａに設けた気体供給調整弁３２を閉じて、気体供給装置３０から気体を塗液収容部１１に供給させないようにする。なお、図に示した塗液供給弁２２、気体供給調整弁３２、排気弁３３の開閉については、開いた状態を白抜きで、閉じた状態を黒塗りで示した。
【００２７】
また、前記のようにして塗布用ノズル１０における塗液収容部１１内に所定量の塗液Ｐを供給させた後は、図３に示すように、前記の塗布用ノズル１０の先端部におけるスリット状吐出口１２を前記のシャッター部材１３によって閉じた状態で、塗液供給パイプ２１に設けた前記の塗液供給弁２２を閉じて、塗液供給装置２０から塗液Ｐを塗液収容部１１に供給させないようにすると共に、前記の排気側パイプ３１ｂに設けた排気弁３３を閉じて塗液収容部１１内における気体を排気させないようにする一方、前記の供給側パイプ３１ａに設けた気体供給調整弁３２を開け、気体供給装置３０から気体を供給側パイプ３１ａに設けた気体供給調整弁３２を通して塗液収容部１１内に供給し、塗液収容部１１内における塗液Ｐに加わる圧力が所定圧になるように調整している。
【００２８】
そして、この実施形態１における塗布装置において、前記の塗布用ノズル１０から被塗布体Ｗの表面に塗液Ｐを塗布するにあたっては、前記のように塗布用ノズル１０の先端部におけるスリット状吐出口１２をシャッター部材１３によって閉じ、気体供給装置３０から気体供給調整弁３２を介して気体を塗液収容部１１内に供給し、塗液収容部１１内における塗液Ｐに加わる圧力を所定圧に調整した状態で、図４（Ａ）に示すように、この塗布用ノズル１０を、スリット状吐出口１２から被塗布体Ｗの表面に塗液Ｐの塗布を開始させる位置に導くようにする。
【００２９】
次いで、図４（Ｂ）に示すように、前記のシャッター部材１３を塗液収容部１１内で速やかに回転させて、シャッター部材１３における案内切欠き部１３ａをスリット状吐出口１２の位置に導いて、塗液収容部１１とスリット状吐出口１２との間を案内切欠き部１３ａによって連通させ、塗液収容部１１内に収容された塗液Ｐを所定圧で前記の案内切欠き部１３ａからスリット状吐出口１２を通して被塗布体Ｗの表面に供給させるようにする。
【００３０】
このようにすると、塗液Ｐが速やかにシャッター部材１３によりスリット状吐出口１２を通して被塗布体Ｗの表面に供給されるようになり、従来のように、塗布の開始時から被塗布体Ｗの表面に塗布される塗液Ｐの膜厚の量が徐々に増加するということがなく、塗布の開始時から被塗布体Ｗの表面全体に塗液Ｐが均一な厚みになるようにして塗布されるようになる。
【００３１】
そして、図４（Ｃ）に示すように、前記の気体供給調整弁３２により気体供給装置３０から塗液収容部１１内に供給する気体の量を調整して、塗液収容部１１内における塗液Ｐに加わる圧力を一定の所定圧に調整した状態で、塗液収容部１１内における塗液Ｐを一定の圧力でスリット状吐出口１２を通して被塗布体Ｗの表面に供給させながら、被塗布体Ｗを塗布用ノズル１０の下で移動（もしくは、塗布用ノズル１０を被塗布体Ｗの上で移動）させて、被塗布体Ｗの表面に塗液Ｐを塗布させるようにする。このようにすると、常にスリット状吐出口１２を通して塗液Ｐが一定の圧力で被塗布体Ｗの表面に供給され、被塗布体Ｗの表面に塗液Ｐが均一な厚みになるようにして塗布される。
【００３２】
このようにして、スリット状吐出口１２を通して被塗布体Ｗの表面に塗液Ｐを塗布させた後、被塗布体Ｗの表面への塗液Ｐの塗布を停止させる場合には、図４（Ｄ）に示すように、速やかに前記のシャッター部材１３を回転させて、シャッター部材１３における案内切欠き部１３ａをスリット状吐出口１２の位置から離れるようにし、シャッター部材１３により塗液収容部１１とスリット状吐出口１２との間を閉塞させて、塗液収容部１１内に収容された塗液Ｐがスリット状吐出口１２に導かれないようにする。このようにすると、スリット状吐出口１２を通して一定の圧力で被塗布体Ｗの表面に供給されていた塗液Ｐが、速やかにシャッター部材１３によりスリット状吐出口１２を通して被塗布体Ｗの表面に供給されなくなり、従来のように、塗布の終了時に、被塗布体Ｗの表面に塗布される塗液Ｐの膜厚が徐々に減少するということがなく、被塗布体Ｗの表面全体に塗液Ｐが均一な厚みになるようにして塗布されるようになる。
【００３３】
（参考形態）
参考形態における塗布装置においても、図５及び図６に示すように、前記の実施形態１のものと同様に、塗布用ノズル１０の内部に塗液Ｐを収容させる塗液収容部１１を設けると共に、先端部に前記の塗液収容部１１内に収容された塗液Ｐを吐出させるスリット状吐出口１２を設け、さらに塗液収容部１１内で回転させて塗液収容部１１とスリット状吐出口１２との間の開閉を行うシャッター部材１３を設けている。
【００３４】
そして、この参考形態における塗布装置においても、前記の実施形態１のものと同様に、前記のシャッター部材１３を塗液収容部１１内で回転させて、シャッター部材１３における案内切欠き部１３ａをスリット状吐出口１２の位置に導かない状態では、塗液収容部１１とスリット状吐出口１２との間がシャッター部材１３によって閉塞されて、塗液収容部１１内に収容された塗液Ｐがスリット状吐出口１２に導かれない一方、案内切欠き部１３ａがスリット状吐出口１２の位置に導かれた状態では、塗液収容部１１とスリット状吐出口１２との間が案内切欠き部１３ａを介して連通され、塗液収容部１１内に収容された塗液Ｐが案内切欠き部１３ａを通してスリット状吐出口１２に導かれるようにしている。
【００３５】
また、この参考形態における塗布装置においても、塗布用ノズル１０における塗液収容部１１に塗液Ｐを供給させるにあたり、前記の実施形態１のものと同様に、図示していない塗液供給装置２０から塗液供給パイプ２１を通して塗液Ｐを塗布用ノズル１０における塗液収容部１１に供給させるようにしている。
【００３６】
そして、この参考形態における塗布装置においては、塗液供給装置２０から塗液供給パイプ２１を通して塗液Ｐを塗布用ノズル１０における塗液収容部１１に供給させるにあたり、図５及び図６に示すように、前記の塗液供給パイプ２１の途中の位置に、塗液収容部１１内に収容された塗液Ｐに加わる圧力が一定圧になるように塗液Ｐの供給を調整する塗液供給調整手段として、シリンジポンプ４０を設け、シリンジポンプ４０の上流側における塗液供給パイプ２１に設けた第１塗液供給弁２２ａを通して塗液Ｐをシリンジポンプ４０内に導くと共に、このシリンジポンプ４０内に導かれた塗液Ｐをシリンジポンプ４０の下流側における塗液供給パイプ２１に設けた第２塗液供給弁２２ｂを通して塗液収容部１１内に供給して充填させるようにしている。
【００３７】
また、この参考形態における塗布装置においては、塗液収容部１１内に塗液Ｐの供給させる場合に、塗液収容部１１内における気体を外部に排気させる排気用パイプ３４に排気用弁３５を設けている。
【００３８】
そして、この参考形態における塗布装置において、塗布用ノズル１０における塗液収容部１１内に塗液Ｐを供給する場合には、図５（Ａ）に示すように、塗布用ノズル１０の先端部におけるスリット状吐出口１２を前記のシャッター部材１３によって閉じた状態にして、塗液供給パイプ２１に設けた前記の第１塗液供給弁２２ａと第２塗液供給弁２２ｂとを開け、塗液供給パイプ２１を通して塗液Ｐをシリンジポンプ４０内に供給して充填し、このようにシリンジポンプ４０内に供給された塗液Ｐを塗布用ノズル１０の塗液収容部１１内に供給すると共に、前記の排気用パイプ３４に設けた排気用弁３５を開けて、塗液Ｐが供給される塗液収容部１１内の気体を、排気用パイプ３４を通して排気（気抜き）させるようにしている。
【００３９】
また、このようにして塗布用ノズル１０の塗液収容部１１内に塗液Ｐを供給して、塗液収容部１１内に塗液Ｐを充填させた後は、図５（Ｂ）に示すように、前記の第１塗液供給弁２２ａと排気用弁３５とを閉じた状態で、前記のシリンジポンプ４０におけるシリンダー４１により、シリンジポンプ４０内における塗液Ｐを塗液収容部１１内に送り出す方向に押して、塗液収容部１１内における塗液Ｐに加わる圧力が所定圧になるようにしている。なお、図に示した第１塗液供給弁２２ａ、第２塗液供給弁２２ｂ、排気用弁３５の開閉については、開いた状態を白抜きで、閉じた状態を黒塗りで示した。
【００４０】
そして、この参考形態における塗布装置において、前記の塗布用ノズル１０から被塗布体Ｗの表面に塗液Ｐを塗布するにあたっては、前記のように塗布用ノズル１０の先端部におけるスリット状吐出口１２をシャッター部材１３によって閉じ、シリンジポンプ４０におけるシリンダー４１により、シリンジポンプ４０内における塗液Ｐを塗液収容部１１内に送り出す方向に押して、塗液収容部１１内における塗液Ｐに加わる圧力を所定圧に調整した状態で、図６（Ａ）に示すように、この塗布用ノズル１０を、スリット状吐出口１２から被塗布体Ｗの表面に塗液Ｐの塗布を開始させる位置に導くようにする。
【００４１】
次いで、図６（Ｂ）に示すように、前記のシャッター部材１３を塗液収容部１１内で速やかに回転させて、シャッター部材１３における案内切欠き部１３ａをスリット状吐出口１２の位置に導いて、塗液収容部１１とスリット状吐出口１２との間を案内切欠き部１３ａによって連通させ、塗液収容部１１内に収容された塗液Ｐを所定圧で前記の案内切欠き部１３ａからスリット状吐出口１２を通して被塗布体Ｗの表面に供給させるようにする。
【００４２】
このようにすると、塗液Ｐが速やかにシャッター部材１３によりスリット状吐出口１２を通して被塗布体Ｗの表面に供給されるようになり、従来のように、塗布の開始時から被塗布体Ｗの表面に塗布される塗液Ｐの膜厚の量が徐々に増加するということがなく、塗布の開始時から被塗布体Ｗの表面全体に塗液Ｐが均一な厚みになるようにして塗布されるようになる。
【００４３】
そして、図６（Ｃ）に示すように、前記のシリンダー４１によりシリンジポンプ４０内における塗液Ｐを塗液収容部１１内に送り出す方向に押して、塗液収容部１１内における塗液Ｐに加わる圧力を一定の所定圧に調整した状態で、塗液収容部１１内における塗液Ｐを一定の圧力でスリット状吐出口１２を通して被塗布体Ｗの表面に供給させながら、被塗布体Ｗを塗布用ノズル１０の下で移動（もしくは、塗布用ノズル１０を被塗布体Ｗの上で移動）させて、させて、被塗布体Ｗの表面に塗液Ｐを塗布させるようにする。このようにすると、スリット状吐出口１２を通して塗液Ｐが一定の圧力で被塗布体Ｗの表面に供給され、被塗布体Ｗの表面に塗液Ｐが均一な厚みになるようにして塗布される。
【００４４】
このようにして、スリット状吐出口１２を通して被塗布体Ｗの表面に塗液Ｐを塗布させた後、被塗布体Ｗの表面への塗液Ｐの塗布を停止させる場合には、図６（Ｄ）に示すように、速やかに前記のシャッター部材１３を回転させ、シャッター部材１３における案内切欠き部１３ａをスリット状吐出口１２の位置から離して、シャッター部材１３により塗液収容部１１とスリット状吐出口１２との間を閉塞されて、塗液収容部１１内に収容された塗液Ｐがスリット状吐出口１２に導かれないようにする。このようにすると、スリット状吐出口１２を通して一定の圧力で被塗布体Ｗの表面に供給されていた塗液Ｐが、シャッター部材１３によりスリット状吐出口１２を通して被塗布体Ｗの表面に速やかに供給されなくなり、従来のように、塗布の終了時に被塗布体Ｗの表面に塗布される塗液Ｐの膜厚が徐々に減少するということがなく、被塗布体Ｗの表面全体に塗液Ｐが均一な厚みになるようにして塗布されるようになる。
【００４５】
そして、シリンジポンプ４０内における塗液Ｐの量が減少した場合には、図示していないが、前記の第２塗液供給弁２２ｂを閉じる一方、前記の第１塗液供給弁２２ａを開け、シリンジポンプ４０におけるシリンダー４１を吸引方向に動かして、再び、塗液供給装置２０から塗液供給パイプ２１を通して塗液Ｐをシリンジポンプ４０内に充填させる。なお、同実施形態の図においては、１回の塗布でシリンジポンプ４０内における塗液Ｐがなくなるように示したが、シリンジポンプ４０内に充填される塗液Ｐの量を多くして、塗布を複数回行うようにし、その後、前記のようにして塗液供給装置２０から塗液供給パイプ２１を通して塗液Ｐをシリンジポンプ４０内に充填させるようにすることもできる。
【００４６】
また、本発明において使用するシャッター部材１３は、前記の実施形態１に示したものに限られず、前記のシャッター部材１３に設ける案内切欠き部１３ａの形状を、図７（Ａ）〜（Ｄ）に示したシャッター部材１３の展開図のように様々な形状にすることができる。 
【００４７】
例えば、図７（Ａ）に示すように、シャッター部材１３として、平面四角形状になった大きな案内切欠き部１３ａを設けたものを用い、被塗布体Ｗと塗布用ノズル１０とを相対的に移動させて、被塗布体Ｗの表面に塗液Ｐを塗布するにあたり、シャッター部材１３を一定時間開放させて、図８（Ａ）に示すように、被塗布体Ｗの表面に前記の案内切欠き部１３ａから塗液Ｐを連続して供給して被塗布体Ｗの表面に四角形状に塗布し、また、シャッター部材１３を断続的に開閉させて、図８（Ｂ）に示すように、被塗布体Ｗの表面に塗液Ｐを前記の案内切欠き部１３ａから断続的に供給して、シャッター部材１３の軸方向に伸びた短冊状になるようにして、被塗布体Ｗの表面に塗液Ｐを複数本塗布させるようにすることができる。
【００４８】
また、図７（Ｂ）に示すように、シャッター部材１３として、その軸方向に所要間隔を介するようにして四角形状になった案内切欠き部１３ａを複数設けたものを用い、被塗布体Ｗと塗布用ノズル１０とを相対的に移動させて、被塗布体Ｗの表面に塗液Ｐを塗布するにあたり、シャッター部材１３を一定時間開放させて、図８（Ｃ）に示すように、被塗布体Ｗの表面に塗液Ｐを各案内切欠き部１３ａから連続して供給して複数の縦縞状に塗布し、また、シャッター部材１３を断続的に開閉させて、図８（Ｄ）に示すように、被塗布体Ｗの表面に塗液Ｐを各案内切欠き部１３ａから断続的に供給して、四角状の塗液Ｐを格子状に塗布させるようにすることができる。
【００４９】
また、図７（Ｃ）に示すように、シャッター部材１３として、凹型状になった案内切欠き部１３ａを設けたものを用い、被塗布体Ｗと塗布用ノズル１０とを相対的に移動させて、被塗布体Ｗの表面に塗液Ｐを塗布するにあたり、シャッター部材１３を適当なタイミングで開閉させて、図８（Ｅ）に示すように、被塗布体Ｗの表面に塗液Ｐを額縁状に塗布したり、図８（Ｆ）に示すように、被塗布体Ｗの表面に塗液Ｐを、額縁の内部に横縞を設けた状態になるように塗布させたりすることができる。
【００５０】
また、図７（Ｄ）に示すように、シャッター部材１３として、櫛歯状になった案内切欠き部１３ａを設けたものを用い、被塗布体Ｗと塗布用ノズル１０とを相対的に移動させて、被塗布体Ｗの表面に塗液Ｐを塗布するにあたり、シャッター部材１３を適当なタイミングで開閉させて、図８（Ｇ）に示すように、被塗布体Ｗの表面に塗液Ｐを、額縁の内部に縦縞を設けた状態になるように塗布させるたり、図８（Ｈ）に示すように、被塗布体Ｗの表面に塗液Ｐを櫛歯状になった案内切欠き部１３ａから断続的に供給して、被塗布体Ｗの表面に四角状になった複数の非塗布部を配列させるようにして、塗液Ｐを格子状に塗布させるようにすることができる。
【符号の説明】
【００５１】
１０    ：塗布用ノズル
１１    ：塗液収容部
１２    ：スリット状吐出口
１３    ：シャッター部材
１３ａ  ：案内切欠き部
２０    ：塗液供給装置
２１    ：塗液供給パイプ
２２    ：塗液供給弁
２２ａ  ：第１塗液供給弁
２２ｂ  ：第２塗液供給弁
３０    ：気体供給装置
３１    ：供給・排気パイプ
３１ａ  ：供給側パイプ
３１ｂ  ：排気側パイプ
３２    ：気体供給調整弁
３３    ：排気弁
３４    ：排気用パイプ
３５    ：排気用弁
４０    ：シリンジポンプ
４１    ：シリンダー
Ｐ      ：塗液
Ｗ      ：被塗布体
【要約】      （修正有）【課題】塗布用ノズルに設けたスリット状吐出口から塗液を被塗布体の表面に塗布するにあたり、被塗布体と塗布用ノズルとを相対的に移動させて、塗布の開始、停止が速やかであり、均一な厚みに簡単に塗布できる、塗布装置を提供する。【解決手段】塗布用ノズル１０を被塗布体Ｗの上で被塗布体と相対的に移動させ、塗布用ノズルの塗液収容部１１内における塗液Ｐを、スリット状吐出口１２から被塗布体の表面に塗布する塗布装置において、塗液収容部内で回転して塗液収容部とスリット状吐出口との間の開閉を行うシャッター部材１３と、塗液収容部内の塗液に加わる圧力を調整する気体供給調整手段３２を設け、気体供給調整手段により塗液収容部内における塗液に加わる圧力を一定圧に保った状態で、シャッター部材を回転させて塗液収容部とスリット状吐出口との間を開閉させる。【選択図】図４【図１】
0006873586.tif 000002
【図２】
0006873586.tif 000003
【図３】
0006873586.tif 000004
【図４】
0006873586.tif 000005
【図５】
0006873586.tif 000006
【図６】
0006873586.tif 000007
【図７】
0006873586.tif 000008
【図８】
0006873586.tif 000009